(57)【要約】【課題】部品点数を少なくし、コストを低減するとともに、軽量化によって、駅舎の付帯構造物、トンネルの壁面等の構造物の強度を高めることなく、軌条の上方に設置された構造物に垂設することができ、これによって、駅舎等における景観を向上することができる振止装置を提供すること。【解決手段】振止装置を、軌条１０の上方に設置された構造物１に取付アダプタ２を介して垂設されるポリマ支持碍子３と、このポリマ支持碍子３の下端に基端部を取り付け、先端部を下方に湾曲するように形成した支持パイプ４と、この支持パイプ４の先端に基端部を揺動自在に、かつ、先端側を支持パイプ４側に折り返して取り付け、下方に湾曲するように形成した曲線引金具５と、この曲線引金具５の先端に取り付けたイヤー片８とから構成する。【選択図】  図２
2004249951.tif 000002
【特許請求の範囲】
【請求項１】
軌条の上方に設置された構造物に取付アダプタを介して垂設されるポリマ支持碍子と、該ポリマ支持碍子の下端に基端部を取り付け、先端部を下方に湾曲するように形成した支持パイプと、該支持パイプの先端に基端部を揺動自在に、かつ、先端側を支持パイプ側に折り返して取り付け、下方に湾曲するように形成した曲線引金具と、該曲線引金具の先端に取り付けたイヤー片とからなることを特徴とする振止装置。
【請求項２】
支持パイプの基端部に、碍子取付金具及びちょう架線取付金具を、支持パイプの先端部に、曲線引金具取付金具を、それぞれ溶接により取り付けたことを特徴とする請求項１記載の振止装置。
【請求項３】
曲線引金具取付金具が、曲線引金具を揺動自在に支持する支持軸と、曲線引金具の揺動角度を規制するストッパ片とを備えていることを特徴とする請求項２記載の振止装置。
【発明の詳細な説明】
【０００１】
【発明の属する技術分野】
本発明は、振止装置に関し、特に、軌条の上方に設置された構造物に垂設される振止装置に関するものである。
【０００２】
【従来の技術】
従来、振止装置として、電柱に碍子を介して水平及び斜め方向に延びる２本の主パイプからなる可動ブラケットを取り付け、この可動ブラケットの先端に曲線引金具を取り付けたものが汎用されている。
【０００３】
また、駅舎やトンネル内においては、図１（ａ）に示すように、駅舎の付帯構造物やトンネルの壁面に碍子を介して水平及び斜め方向に延びる２本の主パイプからなる可動ブラケット１１を取り付け、この可動ブラケット１１の先端に曲線引金具５を取り付けたものが用いられている。
【０００３】
【発明が解決しようとする課題】
ところで、上記従来の振止装置は、いずれも、軌条１０の側方上部から碍子を介して水平及び斜め方向に延びる２本の主パイプからなる可動ブラケット１１を取り付け、この可動ブラケット１１の先端に曲線引金具５を取り付けるようにした構造のため、部品点数が多く、コスト高になるという問題があった。
また、この振止装置は、部品点数が多いため、軽量化が困難で、このため、振止装置を取り付ける電柱や駅舎の付帯構造物、トンネルの壁面等の構造物の強度を高める必要があった。
さらに、この振止装置は、構造が複雑で、雑然とした外観のため、特に、駅舎等においては景観上も好ましいものとはいえなかった。
【０００４】
本発明は、上記従来の振止装置の有する問題点に鑑み、部品点数を少なくし、コストを低減するとともに、軽量化によって、駅舎の付帯構造物、トンネルの壁面等の構造物の強度を高めることなく、軌条の上方に設置された構造物に垂設することができ、これによって、駅舎等における景観を向上することができる振止装置を提供することを目的とする。
【０００５】
【課題を解決するための手段】
上記目的を達成するため、本発明の振止装置は、軌条の上方に設置された構造物に取付アダプタを介して垂設されるポリマ支持碍子と、該ポリマ支持碍子の下端に基端部を取り付け、先端部を下方に湾曲するように形成した支持パイプと、該支持パイプの先端に基端部を揺動自在に、かつ、先端側を支持パイプ側に折り返して取り付け、下方に湾曲するように形成した曲線引金具と、該曲線引金具の先端に取り付けたイヤー片とからなることを特徴とする。
【０００６】
この振止装置は、取付アダプタを介して垂設されるポリマ支持碍子に、支持パイプ及び曲線引金具を取り付けるようにしているため、部品点数が少なくなり、コストを低減することができる。
また、部品点数が少ないため、軽量化が可能となり、駅舎の付帯構造物、トンネルの壁面等の構造物の強度を高めることなく、軌条の上方に設置された構造物に垂設することができ、これによって、駅舎等における景観を向上することができる。
【０００７】
この場合において、支持パイプの基端部に、碍子取付金具及びちょう架線取付金具を、支持パイプの先端部に、曲線引金具取付金具を、それぞれ溶接により取り付けることができる。
【０００８】
これにより、支持パイプの構造を一層簡易化することができ、コストを低減するとともに、軽量化することができる。
【０００９】
また、曲線引金具取付金具に、曲線引金具を揺動自在に支持する支持軸と、曲線引金具の揺動角度を規制するストッパ片とを備えることができる。
【００１０】
これにより、簡易な構造で、曲線引金具を確実に、かつ安定して支持することができる。
【００１１】
【発明の実施の形態】
以下、本発明の振止装置の実施の形態を図面に基づいて説明する。
【００１２】
図１（ｂ）及び図２〜図４に、本発明の振止装置の一実施例を示す。
この振止装置は、軌条１０の上方に設置された構造物１、本実施例においては、駅舎の付帯構造物である鋼桁材に高さ調節具を兼ねた取付アダプタ２を介して垂設されるポリマ支持碍子３と、このポリマ支持碍子３の下端に基端部を取り付け、先端部を下方に湾曲するように形成した鋼管（例えば、ＳＳ４００）製の支持パイプ４と、この支持パイプ４の先端に基端部を揺動自在に、かつ、先端側を支持パイプ４側に折り返して取り付け、下方に湾曲するように形成した鋼管（例えば、ＳＳ４００）製の曲線引金具５と、この曲線引金具５の先端に取り付けた、トロリー線９を取り付けるイヤー片８とからその主要部が構成されている。
【００１３】
この場合において、支持パイプ４の基端部には、碍子取付金具４１、ちょう架線取付金具４２及び支持パイプ４の蓋体４３を、支持パイプ４の先端部には、曲線引金具取付金具４４を、それぞれ溶接により取り付けるようにする。
このように、支持パイプ４の付属部材を、直接溶接により取り付けるようにすることにより、支持パイプ４の構造を簡易化することができ、コストを低減するとともに、軽量化することができる。
【００１４】
そして、碍子取付金具４１には、４本のコッタボルト４１ａを配設し、このコッタボルト４１ａを介して、ポリマ支持碍子３の下端に碍子取付金具４１、すなわち、支持パイプ４の基端部を取り付けるようにする。
【００１５】
また、ちょう架線取付金具４２には、図４に示すように、ちょう架線７を支持するちょう架線支持部材６をコッタボルト６ａを介して取り付けるようにする。
このちょう架線支持部材６は、上部に、コッタボルト６ａを介して、このちょう架線支持部材６をちょう架線取付金具４２に取り付けるためのブラケット６１に、揺動軸６４を介して取り付けた本体６２の両端に、ちょう架線７を支持するローラ６３を回転自在に配設して構成されている。
【００１６】
また、曲線引金具取付金具４４は、支持パイプ４の下端面に溶接されるガス抜き孔を形成した蓋体４４ａと、蓋体４４ａに溶接される２枚の側板４４ｂとからなり、側板４４ｂには、曲線引金具５を揺動自在に支持する支持軸４５を取り付ける小孔４４ｃを形成するとともに、曲線引金具５の上方への揺動角度を規制する略Ｌ字形状のストッパ片４４ｄと、補強板４４ｅとを溶接するようにする。
また、側板４４ｂには、支持パイプ４から曲線引金具５への電気導通性を確保するための導電体を取り付けるための小孔４４ｆ（この小孔４４ｆに対応して、曲線引金具５に小孔５ａを形成する。）を形成するようにする。
これにより、曲線引金具取付金具４４は、簡易な構造で、曲線引金具５を確実に、かつ安定して支持することができる。
【００１７】
この振止装置は、取付アダプタ２を介して垂設されるポリマ支持碍子３に、支持パイプ４及び曲線引金具５を取り付けるようにしているため、部品点数が少なくなり、コストを低減することができる。
また、部品点数が少ないため、軽量化が可能となり、駅舎の付帯構造物、トンネルの壁面等の構造物１の強度を高めることなく、軌条１０の上方に設置された構造物１に垂設することができ、これによって、駅舎等における景観を向上することができる。
【００１８】
以上、本発明の振止装置について、駅舎の付帯構造物である鋼桁材に高さ調節具を兼ねた取付アダプタ２を介して垂設するようにした実施例について説明したが、本発明の振止装置は、この実施例の記載に限定されるものではなく、例えば、トンネルの壁面（天井面）等の構造物に任意の取付アダプタを介して垂設することもできる等、本発明の振止装置の構成は、その趣旨を逸脱しない範囲において適宜に変更することが可能である。
【００１９】
【発明の効果】
本発明の振止装置によれば、取付アダプタを介して垂設されるポリマ支持碍子に、支持パイプ及び曲線引金具を取り付けるようにしているため、部品点数が少なくなり、コストを低減することができる。
また、部品点数が少ないため、軽量化が可能となり、駅舎の付帯構造物、トンネルの壁面等の構造物の強度を高めることなく、軌条の上方に設置された構造物に垂設することができ、これによって、駅舎等における景観を向上することができる。
これによって、従来の振止装置の有する問題点を一挙に解決する振止装置を提供することができる。
【００２０】
また、支持パイプの基端部に、碍子取付金具及びちょう架線取付金具を、支持パイプの先端部に、曲線引金具取付金具を、それぞれ溶接により取り付けることにより、支持パイプの構造を一層簡易化することができ、コストを低減するとともに、軽量化することができる。
【００２１】
また、曲線引金具取付金具に、曲線引金具を揺動自在に支持する支持軸と、曲線引金具の揺動角度を規制するストッパ片とを備えることにより、簡易な構造で、曲線引金具を確実に、かつ安定して支持することができる。
【図面の簡単な説明】
【図１】（ａ）は従来の振止装置の概略説明図、（ｂ）は本発明の振止装置の概略説明図である。
【図２】本発明の振止装置の一実施例を示す正面図である。
【図３】同振止装置の支持パイプを示し、（ａ）は正面図、（ｂ）は（ａ）のＢ−Ｂ線断面図、（ｃ）は（ａ）のＣ−Ｃ線断面図、（ｄ）は（ａ）のＤ−Ｄ線断面図である。
【図４】同振止装置のちょう架線支持部材を示し、（ａ）は正面図、（ｂ）は側面図、（ｃ）は底面図である。
【符号の説明】
１    構造物
２    取付アダプタ
３    ポリマ支持碍子
４    支持パイプ
４１  碍子取付金具
４２  ちょう架線取付金具
４３  蓋体
４４  曲線引金具取付金具
４４ａ  蓋体
４４ｂ  側板
４４ｃ  小孔
４４ｄ  ストッパ片
４４ｅ  補強板
４４ｆ  小孔
４５  支持軸
５    曲線引金具
５ａ  小孔
６    ちょう架線支持部材
７    ちょう架線
８    イヤー片
９    トロリー線
１０  軌条
【図１】
2004249951.tif 000003
【図２】
2004249951.tif 000004
【図３】
2004249951.tif 000005
【図４】
2004249951.tif 000006